(57)【要約】【課題】再生ソースの音量を徐々に下げて、子供を寝付かせること。【解決手段】開始操作検出部１０３によって制御開始操作が検出された場合、ジャンル検出部１０４によって所定のジャンルが検出された場合、または、移動検出部１０５によって音量制御装置１００の搭載された移動体の所定の移動状態が検出された場合、音量制御部１０７によって再生ソースの音量を所定の時間間隔にしたがって徐々に下げる処理を開始する。そして、音量操作検出部１０６によって、再生ソースの音量操作があったか否かを判断する。再生ソースの音量操作があったと判断された場合、再生ソースの音量を徐々に下げる時間間隔を所定の時間長くした間隔にしたがって徐々に下げる。また、再生ソースの音量操作がない場合、再生ソースの音量がゼロになるまで徐々に下げる。【選択図】図１
2008252589.tif 000002
【特許請求の範囲】
【請求項１】
利用者による再生ソースの音量操作があったか否かを検出する音量操作検出手段と、
前記音量操作検出手段によって利用者による再生ソースの音量操作が検出されない場合、前記再生ソースの音量を所定の時間間隔にしたがって徐々に下げる音量制御手段と、
を備えることを特徴とする音量制御装置。
【請求項２】
前記音量制御手段は、前記音量操作検出手段によって前記再生ソースの音量を上げる音量操作が検出された場合、当該再生ソースの音量を前記時間間隔より所定の時間長くした間隔にしたがって徐々に下げることを特徴とする請求項１に記載の音量制御装置。
【請求項３】
前記音量制御手段は、前記再生ソースの音量を下げる時間間隔を徐々に短くすることを特徴とする請求項１または２に記載の音量制御装置。
【請求項４】
前記再生ソースの音量を下げる時間間隔を設定する設定手段を備え、
前記音量制御手段は、前記再生ソースの音量を、前記設定手段によって設定された時間間隔にしたがって徐々に下げることを特徴とする請求項１〜３のいずれか一つに記載の音量制御装置。
【請求項５】
前記再生ソースのジャンルを検出するジャンル検出手段を備え、
前記音量制御手段は、前記ジャンル検出手段によって所定のジャンルが検出された場合、前記再生ソースの音量を所定の時間間隔にしたがって徐々に下げる制御を開始することを特徴とする請求項１〜４のいずれか一つに記載の音量制御装置。
【請求項６】
前記音量制御装置の搭載された移動体の移動状態を検出する移動検出手段を備え、
前記音量制御手段は、前記移動検出手段によって所定の移動状態が検出された場合、前記再生ソースの音量を所定の時間間隔にしたがって徐々に下げる制御を開始することを特徴とする請求項１〜５のいずれか一つに記載の音量制御装置。
【請求項７】
前記利用者の制御開始操作があったか否かを検出する開始操作検出手段を備え、
前記音量制御手段は、前記開始操作検出手段によって利用者の制御開始操作が検出された場合、前記再生ソースの音量を所定の時間間隔にしたがって徐々に下げる制御を開始することを特徴とする請求項１〜６のいずれか一つに記載の音量制御装置。
【請求項８】
前記音量制御手段は、映像音声信号に関する音声信号の音量を所定の時間間隔にしたがって徐々に下げることを特徴とする請求項１〜７のいずれか一つに記載の音量制御装置。
【請求項９】
前記音量制御装置を備えるナビゲーション装置において、
前記音量制御手段は、リアシート向けに備えられたモニタに出力される映像音声信号に関する音声信号の音量を所定の時間間隔にしたがって徐々に下げることを特徴とする請求項８に記載の音量制御装置。
【請求項１０】
利用者による再生ソースの音量操作があったか否かを検出する音量操作検出工程と、
前記音量操作検出工程によって利用者による再生ソースの音量操作が検出されない場合、前記再生ソースの音量を所定の時間間隔にしたがって徐々に下げる音量制御工程と、
を含むことを特徴とする音量制御方法。
【請求項１１】
請求項１０に記載の音量制御方法をコンピュータに実行させることを特徴とする音量制御プログラム。
【請求項１２】
請求項１１に記載の音量制御プログラムを記録したことを特徴とするコンピュータに読み取り可能な記録媒体。
【発明の詳細な説明】
【技術分野】
【０００１】
この発明は、徐々に音量を下げる音量制御装置、音量制御方法、音量制御プログラムおよび記録媒体に関する。ただし、この発明の利用は、上述した音量制御装置、音量制御方法、音量制御プログラムおよび記録媒体には限られない。
【背景技術】
【０００２】
従来、複数の音源と、前席（フロントシート）側に取り付けられたヘッドユニットと、後席（リアシート）側に取り付けられたリアコントローラと、を備え、車両に搭載されるエンターテイメントシステムがある。このエンターテイメントシステムの中には、ヘッドユニットに、前席側で再生するフロント音源を選択して該フロント音源を制御するフロント制御と、後席側で再生するリア音源を選択して該リア音源を制御するリア制御とを切り換える制御切り換えスイッチを有するシステムが提案されている（たとえば、下記特許文献１参照。）。
【０００３】
このエンターテイメントシステムによれば、前席側に設けられたヘッドユニットによって、後席側で再生される音源の制御をおこなうことで、後席のユーザがオーディオ装置に不慣れな場合、後席の利用者のためにオーディオ操作を補助することができる。また、前席側に設けられたヘッドユニットによって、後席側に設けられたリアコントローラの操作を制限することで、後席の利用者に不用意にオーディオ装置を操作させないようにすることができる。
【０００４】
【特許文献１】特許第３７１５２２４号公報
【発明の開示】
【発明が解決しようとする課題】
【０００５】
しかしながら、上述の特許文献１の技術では、前席側において後席側で再生される音源の制御をおこなうことはできるが、たとえば、後席側に子供が座った場合、視聴途中で子供が眠くなっても再生するリア音源の音量はそのままのため、子供を寝付かせることができず、機嫌を損なわせてしまうといった問題が一例として挙げられる。
【課題を解決するための手段】
【０００６】
上述した課題を解決し、目的を達成するため、請求項１の発明にかかる音量制御装置は、利用者による再生ソースの音量操作があったか否かを検出する音量操作検出手段と、前記音量操作検出手段によって利用者による再生ソースの音量操作が検出されない場合、前記再生ソースの音量を所定の時間間隔にしたがって徐々に下げる音量制御手段と、を備えることを特徴とする。
【０００７】
また、請求項１０の発明にかかる音量制御方法は、利用者による再生ソースの音量操作があったか否かを検出する音量操作検出工程と、前記音量操作検出工程によって利用者による再生ソースの音量操作が検出されない場合、前記再生ソースの音量を所定の時間間隔にしたがって徐々に下げる音量制御工程と、を含むことを特徴とする。
【０００８】
また、請求項１１の発明にかかる音量制御プログラムは、請求項１０に記載の音量制御方法をコンピュータに実行させることを特徴とする。
【０００９】
また、請求項１２の発明にかかる記録媒体は、請求項１１に記載の音量制御プログラムをコンピュータに読み取り可能な状態で記録したことを特徴とする。
【発明を実施するための最良の形態】
【００１０】
以下に添付図面を参照して、この発明にかかる音量制御装置、音量制御方法、音量制御プログラムおよび記録媒体の好適な実施の形態を詳細に説明する。
【００１１】
（実施の形態）
（音量制御装置の機能的構成）
まず、この発明の実施の形態にかかる音量制御装置１００の機能的構成について説明する。図１は、本実施の形態にかかる音量制御装置の機能的構成を示すブロック図である。
【００１２】
図１において、音量制御装置１００は、出力部１０１と、設定部１０２と、開始操作検出部１０３と、ジャンル検出部１０４と、移動検出部１０５と、音量操作検出部１０６と、音量制御部１０７と、を備えている。出力部１０１は、再生ソースを出力するスピーカなどを備えている。ここで、スピーカは、たとえば、ヘッドフォンなどでもよい。再生ソースは、具体的には、たとえば、ＤＶＤやテレビ放送などからの映像音声信号、または、ＣＤ、ＭＤ、カセットテープやラジオ放送などからの音声信号である。
【００１３】
設定部１０２は、再生ソースの音量を下げる時間間隔を設定する。具体的には、たとえば、後述する音量制御部１０７によって再生ソースの音量を徐々に下げる時間間隔を設定する。設定部１０２は、たとえば、利用者からの入力によって設定する。ここで、利用者は、再生ソースを視聴している視聴者でもよいし、利用者および視聴者は、異なっていてもよい。具体的には、たとえば、音量制御装置１００がナビゲーション装置に備えられている場合、フロントシートにいる利用者（たとえば、親）が、リアシート向けに備えられ、視聴者（たとえば、子供）が視聴しているモニタに出力される再生ソースの音量を下げる時間間隔を設定してもよい。
【００１４】
開始操作検出部１０３は、利用者の制御開始操作があったか否かを検出する。開始操作検出部１０３は、たとえば、音量制御装置１００に備えられた制御開始を要求するスイッチなどが押下されたか否かを検出する。具体的には、音量制御装置１００が家庭用のテレビなどに備えられた場合、スリープモードなどのボタンが押下されたか否かを検出する。また、音量制御装置１００がナビゲーション装置に備えられている場合、フロントシートにいる利用者が、リアシート向けに備えられ、視聴者が視聴しているモニタの制御開始操作をおこなってもよい。
【００１５】
ジャンル検出部１０４は、再生ソースのジャンルを検出する。ジャンルは、たとえば、再生ソースが映像音声信号の場合、映画、ドラマ、アニメ、ドキュメンタリーなどといった映像の区分を示す。また、ジャンルは、たとえば、再生ソースが音声信号の場合、クラシック、ポップス、アニメソング、童謡などの音楽の区分を示す。
【００１６】
移動検出部１０５は、音量制御装置１００の搭載された移動体の移動状態を検出する。具体的には、たとえば、移動体が渋滞に入ったか、移動体が高速道路に入ったか、移動を開始してから所定時間経過したかなどを検出する。
【００１７】
音量操作検出部１０６は、利用者による再生ソースの音量操作があったか否かを検出する。音量操作検出部１０６は、たとえば、利用者による再生ソースの音量を上げる音量操作があったか否かを検出する。音量操作検出部１０６は、利用者および視聴者が異なる場合、視聴者による再生ソースの音量を上げる音量操作があったか否かを検出してもよい。
【００１８】
音量制御部１０７は、音量操作検出部１０６によって利用者による再生ソースの音量操作が検出されない場合、再生ソースの音量を所定の時間間隔にしたがって徐々に下げる。所定の時間間隔は、たとえば、図示しないタイマーなどからの出力に基づいて計時される。これによって、たとえば、視聴者が、徐々に再生ソースの音量が下げられたことに気づかない場合、再生ソースの音量をゼロになるまで下げる。したがって、視聴者は、再生ソースの視聴中に眠くなった場合、音量を気にせず、そのまま寝付くことができる。また、音量制御装置１００を備えるナビゲーション装置において、音量制御部１０７は、映像音声信号に関する音声信号の音量を所定の時間間隔にしたがって徐々に下げる。この場合、映像音声信号は、リアシート向けに備えられたモニタに出力されることとしてもよい。したがって、リアシートにいる視聴者は、再生ソースの視聴中に眠くなった場合、再生ソースの音量を気にせず、そのまま寝付くことができる。
【００１９】
音量制御部１０７は、音量操作検出部１０６によって再生ソースの音量を上げる音量操作が検出された場合、再生ソースの音量を時間間隔より所定の時間長くした間隔にしたがって徐々に下げてもよい。したがって、たとえば、視聴者が、徐々に再生ソースの音量が下げられたことに気づき音量を上げた場合、視聴者が寝ていないと判断することができる。したがって、再生ソースの音量を下げる時間間隔を所定の時間長くして、再度、徐々に音量を下げることで視聴者が寝ているか否かを判断する。
【００２０】
音量制御部１０７は、再生ソースの音量を下げる時間間隔を徐々に短くしてもよい。具体的には、たとえば、視聴者が再生ソースの音量が徐々に下げられたことに気づかない場合、再生ソースを視聴している利用者が寝始めていると判断することができる。したがって、再生ソースの音量を下げる時間間隔を徐々に短くし、視聴者を寝付かせることができる。また、音量制御部１０７は、再生ソースの音量を、設定部１０２によって設定された時間間隔にしたがって徐々に下げてもよい。ここで、たとえば、利用者および視聴者が異なる場合、利用者によって設定された時間間隔にしたがって、視聴者の視聴している再生ソースの音量を徐々に下げてもよい。
【００２１】
音量制御部１０７は、ジャンル検出部１０４によって所定のジャンルが検出された場合、移動検出部１０５によって所定の移動状態が検出された場合、再生ソースの音量を所定の時間間隔にしたがって徐々に下げる制御を開始する。この場合、音量制御部１０７は、自動的に再生ソースの音量を所定の時間間隔にしたがって徐々に下げる制御を開始する。ここで、所定のジャンルとは、たとえば、子供が視聴する確率の高いジャンルであり、具体的には、映像音声情報の場合、アニメなどであり、音声情報の場合、アニメソングや童謡などである。
【００２２】
また、所定の移動状態とは、たとえば、子供が眠くなる確率の高い移動状態である。具体的には、移動体が渋滞に入った場合、移動体が高速道路に入った場合、移動体が移動を開始してから所定時間経過した場合などである。したがって、音量制御装置１００を備えるナビゲーション装置において、子供が再生ソースを視聴中に眠くなる確率の高い移動状態の場合、自動的に再生ソースの音量を所定の時間間隔にしたがって徐々に下げる制御を開始することができる。
【００２３】
また、音量制御部１０７は、開始操作検出部１０３によって利用者の制御開始操作が受け付けられた場合、再生ソースの音量を所定の時間間隔にしたがって徐々に下げる制御を開始してもよい。この場合、音量制御部１０７は、利用者の手動操作を受け付けることで、再生ソースの音量を所定の時間間隔にしたがって徐々に下げる制御を開始する。ここで、たとえば、利用者および視聴者が異なる場合、利用者による制御開始操作が受け付けられた場合、視聴者の視聴している再生ソースの音量を所定の時間間隔にしたがって徐々に下げる制御を開始してもよい。
【００２４】
さらに、音量制御部１０７は、映像音声信号に関する音声信号の音量を所定の時間間隔にしたがって徐々に下げる。さらに、音声信号の音量がゼロになった場合、所定の時間待機して、映像信号の出力を停止してもよい。
【００２５】
なお、音量制御部１０７は、再生ソースの音量を所定の時間間隔にしたがって徐々に上げる構成としてもよい。たとえば、音量制御装置１００を備えるナビゲーション装置において、移動検出部１０５などによって目的地点への到着時間から所定時間前になった場合、再生ソースの音量を所定の時間間隔にしたがって徐々に上げる。この場合、映像音声信号を前回停止した際の１つ前のチャプターに戻し、再生を開始し、映像音声信号に関する音声信号の音量を所定の時間間隔にしたがって徐々に上げる。そして、音量操作検出部１０６によって利用者による再生ソースの音量操作があった場合、もしくは、通常の音量になった場合、音量を上げる制御を停止するようにしてもよい。
【００２６】
（音量制御装置の音量制御処理手順）
つぎに、音量制御装置１００の音量制御処理手順について説明する。図２は、本実施の形態にかかる音量制御装置の音量制御処理手順を示すフローチャートである。図２のフローチャートにおいて、まず、開始操作検出部１０３によって利用者の制御開始操作が検出されたか否かを判断する（ステップＳ２０１）。ステップＳ２０１において制御開始操作が検出されない場合（ステップＳ２０１：Ｎｏ）、ジャンル検出部１０４によって所定のジャンルが検出されたか否かを判断する（ステップＳ２０２）。ステップＳ２０２において所定のジャンルが検出されない場合（ステップＳ２０２：Ｎｏ）、さらに、移動検出部１０５によって音量制御装置１００の搭載された移動体の所定の移動状態が検出されたか否かを判断する（ステップＳ２０３）。ステップＳ２０３において所定の移動状態が検出されない場合（ステップＳ２０３：Ｎｏ）、ステップＳ２０１に戻り、以降の処理を繰り返しおこなう。
【００２７】
また、ステップＳ２０１において制御開始操作が検出された場合（ステップＳ２０１：Ｙｅｓ）、ステップＳ２０２において所定のジャンルが検出された場合（ステップＳ２０２：Ｙｅｓ）、ステップＳ２０３において所定の移動状態が検出された場合（ステップＳ２０３：Ｙｅｓ）、音量制御部１０７によって再生ソースの音量を所定の時間間隔にしたがって徐々に下げる（ステップＳ２０４）。換言すれば、再生ソースの音量を所定の時間間隔にしたがって徐々に下げる制御を開始する。
【００２８】
つぎに、音量操作検出部１０６によって、ステップＳ２０４において所定の時間間隔にしたがって徐々に音量を下げた再生ソースの音量操作があったか否かを判断する（ステップＳ２０５）。ステップＳ２０５において再生ソースの音量操作があったと判断された場合（ステップＳ２０５：Ｙｅｓ）、ステップＳ２０４において再生ソースの音量を徐々に下げた時間間隔を所定の時間長くした時間間隔に変更する（ステップＳ２０６）。そして、ステップＳ２０４に戻り、再生ソースの音量を、ステップＳ２０６において変更された所定の時間長くした時間間隔にしたがって徐々に下げる。
【００２９】
一方、ステップＳ２０５において再生ソースの音量操作がない場合（ステップＳ２０５：Ｎｏ）、再生ソースの音量がゼロになるまで徐々に下げて、そのまま一連の処理を終了する。この場合、再生ソースの音量を下げる時間間隔を徐々に短くしてもよい。また、再生ソースの音量がゼロになった後、所定時間待って再生ソースの出力を停止してもよい。たとえば、映像音声信号に関する音声信号の音量を徐々に下げた場合、音声信号がゼロになった後、所定時間待って映像信号の出力を停止してもよい。
【００３０】
なお、図２のフローチャートにおいては、ステップＳ２０２：Ｙｅｓにおいて所定のジャンルが検出された場合、ステップＳ２０４に進み、再生ソースの音量を所定の時間間隔にしたがって徐々に下げる制御を開始するとしているが、これに限るものではない。具体敵意は、たとえば、ステップＳ２０２：Ｙｅｓにおいて所定のジャンルが検出された場合、ステップＳ２０３に進み、所定の移動状態が検出されたか否かを判断してもよい。この場合、ステップＳ２０２：Ｎｏにおいて所定のジャンルが検出されない場合、ステップＳ２０１に戻る構成でもよい。
【００３１】
また、図２のフローチャートにおいては、ステップＳ２０４において再生ソースの音量を下げる所定の時間間隔は、設定部１０２によって設定された時間間隔でもよい。具体的には、たとえば、音量制御装置１００が、車両に搭載された場合、フロントシートの利用者が、リアシートの視聴者の視聴している再生ソースの音量を下げる所定の時間間隔を設定してもよい。
【００３２】
上述したように、本実施の形態の音量制御装置１００によれば、音量操作検出部１０６によって利用者による再生ソースの音量操作が検出されない場合、音量制御部１０７によって再生ソースの音量を所定の時間間隔にしたがって徐々に下げることができる。したがって、再生ソースの視聴者によって再生ソースの音量操作がおこなわれない場合、再生ソースの音量を徐々に下げることができる。これによって、たとえば、再生ソースの視聴者が、音量が徐々に下がっているのに気づかない場合、音量をそのまま下げ続けることができる。したがって、視聴者は、再生ソースを視聴中に眠くなった場合、そのまま寝付くことができる。
【００３３】
また、本実施の形態の音量制御装置１００によれば、音量制御部１０７によって、音量操作検出部１０６によって再生ソースの音量を上げる音量操作が検出された場合、再生ソースの音量を、音量を上げる音量操作が検出される前の時間間隔より所定の時間長くした間隔にしたがって徐々に下げることができる。したがって、再生ソースの視聴者が寝かかっていない場合、徐々に音量が下がっていることを気づかせにくくするために音量を下げる間隔を長くすることができる。これによって、再生ソースの視聴者が起きている間は、再生ソースの音量が徐々に下がっているのを気づかせないことができる。
【００３４】
また、本実施の形態の音量制御装置１００によれば、音量制御部１０７によって再生ソースの音量を下げる時間間隔を徐々に短くすることができる。したがって、徐々に音量が下がっていることに気づかれない場合、音量を下げる時間間隔を短くし、早く寝付かせることができる。これによって、再生ソースの視聴者が寝かかっている場合、再生ソースの音量を煩わしく感じさせず、寝付かせることができる。
【００３５】
また、本実施の形態の音量制御装置１００によれば、音量制御部１０７は、再生ソースの音量を、設定部１０２によって設定された時間間隔にしたがって徐々に下げることができる。これによって、音量制御装置１００の利用者と、再生ソースの視聴者が異なる場合、利用者によって視聴者を寝付かせるタイミングを設定することができる。
【００３６】
また、本実施の形態の音量制御装置１００によれば、ジャンル検出部１０４によって所定のジャンルが検出された場合、音量制御部１０７によって再生ソースの音量を所定の時間間隔にしたがって徐々に下げる制御を開始することができる。したがって、たとえば、子供向けの再生ソースが再生された場合、視聴者が子供であると判断し、自動的に音量制御処理を開始することができる。これによって、たとえば、再生ソースの視聴者が子供の場合、音量を徐々に下げることで寝付かせることができる。
【００３７】
また、本実施の形態の音量制御装置１００によれば、移動検出部１０５によって所定の移動状態が検出された場合、音量制御部１０７によって再生ソースの音量を所定の時間間隔にしたがって徐々に下げる制御を開始することができる。したがって、たとえば、渋滞状態になったり、高速道路などに入ったり、子供が眠くなるような状態の場合、自動的に音量制御処理を開始することができる。これによって、たとえば、子供が眠くなる可能性の高い状態に車両がなった場合、そのまま子供を寝付かせることができる。
【００３８】
また、本実施の形態の音量制御装置１００によれば、開始操作検出部１０３によって利用者の制御開始操作が検出された場合、音量制御部１０７によって再生ソースの音量を所定の時間間隔にしたがって徐々に下げる制御を開始することができる。したがって、利用者または視聴者の所望するタイミングで音量制御処理を開始することができる。これによって、たとえば、親が子供を寝付かせたい場合、音量を徐々に下げる処理を、親の所望するタイミングで始めることができる。
【００３９】
また、本実施の形態の音量制御装置１００によれば、音量制御部１０７によって、映像音声信号に関する音声信号の音量を所定の時間間隔にしたがって徐々に下げることができる。したがって、動画などの映像部分と音声部分を持つ再生ソースの音声部分の音量を所定の時間間隔にしたがって徐々に下げることができる。これによって、たとえば、子供がＤＶＤやテレビ放送を視聴している場合にも、徐々に音量を下げることで、寝付かせることができる。
【００４０】
また、本実施の形態の音量制御装置１００によれば、音量制御装置１００を備えるナビゲーション装置において、音量制御部１０７によって、リアシート向けに備えられたモニタに出力される映像音声信号に関する音声信号の音量を所定の時間間隔にしたがって徐々に下げることができる。したがって、フロントシート向けのモニタと、リアシート向けのモニタと、異なる映像音声信号を出力している場合、リアシート向けのモニタに出力される映像音声信号に関する音声信号の音量を所定の時間間隔にしたがって徐々に下げることができる。これによって、たとえば、車両内のリアシートに子供が座っている場合、フロントシート向けのモニタにおいてナビゲーションをおこない、リアシートに異なる動画を出力し、リアシート向けのモニタの音量を徐々に下げることで、子供を寝付かせることができる。
【実施例】
【００４１】
以下に、本発明の実施例について説明する。本実施例では、たとえば、車両（四輪車、二輪車を含む）などの移動体に搭載されるナビゲーション装置によって、本発明の音量制御装置を実施した場合の一例について説明する。
【００４２】
（ナビゲーション装置が備える表示装置が搭載された車両内部の説明）
図３を用いて、本実施例にかかるナビゲーション装置が備える表示装置が搭載された車両内部について説明する。図３は、本実施例にかかるナビゲーション装置が備える表示装置が搭載された車両内部の一例を示す説明図である。図３において、車両内部３１０は、フロントシート（運転席シート３１１および助手席シート３１２）と、リアシート（後部座席シート３１３）と、を有しており、運転席シート３１１と助手席シート３１２との周囲には、表示装置３００およびスピーカ３０１が設けられている。また、助手席シート３１２には、後部座席シート３１３の搭乗者に向けて、表示装置３０２が設けられている。
【００４３】
表示装置３００、３０２は、ディスプレイ３０３、３０４をそれぞれ有しており映像を表示する。表示装置３００、３０２は、ディスプレイ３０３、３０４に同じ映像を表示してもよいし、異なる映像を表示してもよい。具体的には、たとえば、表示装置３００のディスプレイ３０３には、ナビゲーション映像を表示し、表示装置３０２のディスプレイ３０４には、ＤＶＤやテレビ放送などの映像を出力してもよい。さらに、表示装置３０２の操作は、表示装置３００においておこなえてもよい。
【００４４】
なお、スピーカ３０１は、車両内部３１０に１つあるいは複数あればよい。スピーカ３０１は、案内音などの音声を再生する。また、スピーカ３０１は、後部座席シート３１３の周囲に設ける構成でもよい。さらに、スピーカ３０１から出力される音声とは異なり、表示装置３０２のディスプレイ３０４に表示される映像に応じた音声は、ヘッドフォン３０５から出力されてもよい。また、たとえば、ヘッドフォン３０５は、映像のない楽曲などが出力されてもよい。換言すれば、表示装置３０２は、たとえば、後部座席シート３１３に子供が座った場合、子供向けのコンテンツを視聴または聴取させる。子供向けのコンテンツは、たとえば、アニメや子供向け教養番組などのＤＶＤまたはテレビ放送の映像である。さらに、子供向けのコンテンツは、アニメソングや童謡などの楽曲でもよい。また、これらの表示装置３００、３０２は、車両に対して着脱可能な構造を備えていてもよい。
【００４５】
（ナビゲーション装置のハードウェア構成）
つぎに、本実施例にかかるナビゲーション装置４００のハードウェア構成について説明する。図４は、本実施例にかかるナビゲーション装置のハードウェア構成を示すブロック図である。図４において、ナビゲーション装置４００は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、ＧＰＳユニット４１５と、各種センサ４１６と、カメラ４１７と、を備えている。各構成部４０１〜４１７は、バス４２０によってそれぞれ接続されている。
【００４６】
まず、ＣＰＵ４０１は、ナビゲーション装置４００の全体の制御を司る。ＲＯＭ４０２は、ブートプログラム、データ更新プログラム、音量制御プログラム、ジャンル検出プログラムなどのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、ナビゲーション装置４００の全体の制御を司る。
【００４７】
音量制御プログラムは、音声Ｉ／Ｆ４０８によってスピーカ４１０から出力される音声の音量を制御させる。詳細は、図６において示すが、たとえば、音量を所定の時間間隔にしたがって徐々に下げるように制御させる。
【００４８】
ジャンル検出プログラムは、ディスプレイ４１３に出力される映像やスピーカから出力される音声の映像ジャンルまたは音楽ジャンルを検出させる。具体的には、たとえば、映像ジャンルまたは音楽ジャンルが、子供向けのジャンルか否かを検出させる。子供向けのジャンルとは、映像ジャンルにおいては、アニメや特撮や子供向け教養番組などであり、音楽ジャンルにおいてはアニメソングや童謡などである。
【００４９】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００５０】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。
【００５１】
磁気ディスク４０５および光ディスク４０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。
【００５２】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００５３】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。
【００５４】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。
【００５５】
磁気ディスク４０５および光ディスク４０７に記録される情報の他の一例としては、映像音声信号や音声信号が挙げられる。映像音声信号は、たとえば、テレビ番組や映画などであり、音声信号は、ラジオ番組や楽曲などである。
【００５６】
音声Ｉ／Ｆ４０８は、音声入力用のマイク４０９および音声出力用のスピーカ４１０に接続される。マイク４０９に受音された音声は、音声Ｉ／Ｆ４０８内でＡ／Ｄ変換される。マイク４０９は、たとえば、車両のサンバイザー付近に設置され、その数は単数でも複数でもよい。スピーカ４１０からは、所定の音声信号を音声Ｉ／Ｆ４０８内でＤ／Ａ変換した音声が出力される。なお、マイク４０９から入力された音声は、音声データとして磁気ディスク４０５あるいは光ディスク４０７に記録可能である。図４のスピーカ４１０は、図３のスピーカ３０１、ヘッドフォン３０５の機能を実現する。したがって、音声Ｉ／Ｆ４０８は、スピーカ３０１と、ヘッドフォン３０５と、に異なる音声信号を出力してもよい。
【００５７】
入力デバイス４１１は、文字、数値、各種指示などの入力のための複数のキーを備えたリモコン、キーボード、タッチパネルなどが挙げられる。入力デバイス４１１は、リモコン、キーボード、タッチパネルのうちいずれか１つの形態によって実現されてもよいが、複数の形態によって実現することも可能である。また、入力デバイス４１１は、リアシート向けの表示装置３０２に備えられていてもよく、ヘッドフォン３０５から出力される音声情報の音量が操作される。
【００５８】
映像Ｉ／Ｆ４１２は、ディスプレイ４１３に接続される。映像Ｉ／Ｆ４１２は、具体的には、たとえば、ディスプレイ４１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１３を制御する制御ＩＣなどによって構成される。
【００５９】
ディスプレイ４１３には、アイコン、カーソル、メニュー、ウインドウ、あるいは文字や画像などの各種データが表示される。ディスプレイ４１３には、上述した地図データが、２次元または３次元に描画される。ディスプレイ４１３に表示された地図データには、ナビゲーション装置４００を搭載した車両の現在位置をあらわすマークなどを重ねて表示することができる。車両の現在位置は、ＣＰＵ４０１によって算出される。
【００６０】
ディスプレイ４１３としては、たとえば、ＣＲＴ、ＴＦＴ液晶ディスプレイ、プラズマディスプレイなどを用いることができる。ディスプレイ４１３は、たとえば、車両のダッシュボード付近に設置される。ディスプレイ４１３は、車両のダッシュボード付近のほか、車両の後部座席周辺などに設置するなどして、車両において複数設置されていてもよい。図４のディスプレイ４１３は、図３のディスプレイ３０３、３０４の機能を実現する。したがって、映像Ｉ／Ｆ４１２は、ディスプレイ３０３と、ディスプレイ３０４と、に異なる映像情報を出力してもよい。
【００６１】
通信Ｉ／Ｆ４１４は、無線を介してネットワークに接続され、ナビゲーション装置４００とＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。
【００６２】
通信網には、ＬＡＮ、ＷＡＮ、公衆回線網や携帯電話網などがある。具体的には、通信Ｉ／Ｆ４１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００６３】
ＧＰＳユニット４１５は、ＧＰＳ衛星からの電波を受信し、車両の現在位置を示す情報を出力する。ＧＰＳユニット４１５の出力情報は、後述する各種センサ４１６の出力値とともに、ＣＰＵ４０１による車両の現在位置の算出に際して利用される。現在位置を示す情報は、たとえば緯度・経度、高度などの、地図データ上の１点を特定する情報である。
【００６４】
各種センサ４１６は、車速センサ、加速度センサ、角速度センサなどの、車両の位置や挙動を判断するための情報を出力する。各種センサ４１６の出力値は、ＣＰＵ４０１による車両の現在位置の算出や、速度や方位の変化量の算出に用いられる。
【００６５】
カメラ４１７は、車両内部あるいは外部の映像を撮影する。映像は静止画あるいは動画のどちらでもよく、たとえば、カメラ４１７によって車両内部の搭乗者の挙動を撮影し、撮影した映像を映像Ｉ／Ｆ４１２を介して磁気ディスク４０５や光ディスク４０７などの記録媒体に出力する。また、カメラ４１７によって車両外部の状況を撮影し、撮影した映像を映像Ｉ／Ｆ４１２を介して磁気ディスク４０５や光ディスク４０７などの記録媒体に出力する。また、カメラ４１７は、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存がおこなわれる。
【００６６】
図１に示した音量制御装置１００が備える出力部１０１、設定部１０２、開始操作検出部１０３、ジャンル検出部１０４、移動検出部１０５、音量操作検出部１０６、音量制御部１０７は、図４に示したナビゲーション装置４００におけるＲＯＭ４０２、ＲＡＭ４０３、磁気ディスク４０５、光ディスク４０７などに記録されたプログラムやデータを用いて、ＣＰＵ４０１が所定のプログラムを実行し、ナビゲーション装置４００における各部を制御することによってその機能を実現する。
【００６７】
すなわち、実施例のナビゲーション装置４００は、ナビゲーション装置４００における記録媒体としてのＲＯＭ４０２に記録されている音量制御プログラムを実行することにより、図１に示した音量制御装置１００が備える機能を、図２に示した音量制御処理手順で実行することができる。
【００６８】
（ナビゲーション装置の処理の内容）
つぎに、ナビゲーション装置４００の処理の内容について説明する。図５は、本実施例にかかるナビゲーション装置の処理の内容を示すフローチャートである。図５のフローチャートにおいて、まず、入力デバイス４１１によって利用者の制御開始操作があったか否かを判断する（ステップＳ５０１）。制御開始操作は、ナビゲーション装置４００における音量制御処理の開始操作があったか否かを判断する。具体的には、フロントシートにいる利用者（たとえば、親）によって制御開始ボタンが押下されたか否かを判断してもよい。ステップＳ５０１において制御開始操作があった場合（ステップＳ５０１：Ｙｅｓ）、ステップＳ５０４に進む。
【００６９】
また、ステップＳ５０１において制御開始操作がない場合（ステップＳ５０１：Ｎｏ）、子供向けのコンテンツが再生されたか否かを判断する（ステップＳ５０２）。ステップＳ５０２においては、子供向けのコンテンツは、具体的には、たとえば、アニメや子供向けの教養番組など、子供が視聴する可能性の高いジャンルのＤＶＤやテレビ放送などの映像である。ステップＳ５０２において子供向けのコンテンツが再生されない場合（ステップＳ５０２：Ｎｏ）、ステップＳ５０１に戻り、以降の処理を繰り返しおこなう。
【００７０】
ステップＳ５０２において子供向けのコンテンツが再生された場合（ステップＳ５０２：Ｙｅｓ）、車両が渋滞状態になるまで待って（ステップＳ５０３：Ｎｏのループ）、車両が渋滞状態になった場合（ステップＳ５０３：Ｙｅｓ）、ステップＳ５０４に進む。ステップＳ５０３：Ｙｅｓにおいては、車両が渋滞状態になった場合、ステップＳ５０４に進む構成としているが、これに限るものではない。具体的には、子供が眠くなるような車両の状態であれば、たとえば、車両が高速道路に入った場合、車両が走行開始から所定時間経過した場合などに、ステップＳ５０４に進む構成としてもよい。
【００７１】
つぎに、所定の時間間隔が経過するまで待って（ステップＳ５０４：Ｎｏのループ）、所定の時間間隔が経過した場合（ステップＳ５０４：Ｙｅｓ）、音量を１段階下げる（ステップＳ５０５）。そして、音量を上げる音量操作を受け付けたか否かを判断して（ステップＳ５０６）、音量を上げる音量操作を受け付けた場合（ステップＳ５０６：Ｙｅｓ）、ステップＳ５０６において受け付けた音量操作に応じて、音量を上げる（ステップＳ５０７）。ステップＳ５０６においては、たとえば、リアシートにいる視聴者（たとえば、子供）の音量操作を受け付けたか否かを判断する。
【００７２】
そして、ステップＳ５０４において経過したか否かを判断する時間間隔を長くして（ステップＳ５０８）、ステップＳ５０４に戻る。この場合、ステップＳ５０４においては、ステップＳ５０８において長くされた時間間隔が経過したか否かを判断する。
【００７３】
一方、ステップＳ５０６において音量を上げる音量操作を受け付けない場合（ステップＳ５０６：Ｎｏ）、音量がゼロになったか否かを判断する（ステップＳ５０９）。ステップＳ５０９において音量がゼロになっていない場合（ステップＳ５０９：Ｎｏ）、ステップＳ５０４に戻り、以降の処理を繰り返しおこなう。ステップＳ５０９において音量がゼロになった場合（ステップＳ５０９：Ｙｅｓ）、所定の時間間隔が経過するまで待って（ステップＳ５１０：Ｎｏのループ）、所定の時間間隔が経過した場合（ステップＳ５１０：Ｙｅｓ）、表示装置３０２の電源をＯＦＦにして（ステップＳ５１１）、一連の処理を終了する。
【００７４】
なお、図５のフローチャートにおいては、ステップＳ５０２：Ｙｅｓにおいて子供向けのコンテンツが再生された場合、ステップＳ５０３に進み車両が渋滞状態か否かを判断するとしているが、これに限るものではない。具体的には、たとえば、ステップＳ５０２：Ｙｅｓにおいて子供向けのコンテンツが再生された場合、ステップＳ５０４に進み、所定の時間間隔が経過したか否かを判断してもよい。換言すれば、ステップＳ５０２：Ｙｅｓにおいて子供向けのコンテンツが再生された場合、音量制御処理を開始してもよい。
【００７５】
また、図５のフローチャートにおいては、ステップＳ５１０：Ｎｏのループにおいて所定の時間間隔が経過するまで待つとしているが、たとえば、この間に、音量を上げる操作を受け付けた場合、ステップＳ５０７に戻り、以降の処理を繰り返しおこなってもよい。
【００７６】
（ナビゲーション装置における音量制御処理の内容の一例）
つぎに、図６を用いて本実施例にかかるナビゲーション装置４００における音量制御処理の内容の一例について説明する。図６は、本実施例にかかるナビゲーション装置における音量制御処理の内容の一例について示す説明図である。図６においては、図５のステップＳ５０１：Ｙｅｓにおいて制御開始操作があった場合、またはステップＳ５０３：Ｙｅｓにおいて車両が渋滞状態になった場合、時間ｔ０とする。したがって、時間ｔ０において、本実施例のナビゲーション装置４００における音量制御処理を開始する。時間ｔ０から時間間隔Ｔ１が経過するまで待って、時間ｔ１に音量を１段階下げる。そして、時間ｔ１から時間間隔Ｔ２が経過するまで待って、時間ｔ２にさらに音量を１段階下げる。ここで、時間間隔Ｔ１＞時間間隔Ｔ２とする。このように、再生ソースの音量を、時間間隔を徐々に短くしながら、この時間間隔にしたがって徐々に下げていく。
【００７７】
つぎに、図５のステップＳ５０６：Ｙｅｓにおいて音量を上げる音量操作を受け付け、ステップＳ５０７において音量を上げる時間を時間ｔ３とする。図６においては、時間ｔ３において時間ｔ０と同程度の音量に上げられたことを示している。そして、時間ｔ３から時間間隔Ｔ１より所定の時間長くした時間間隔Ｔ３が経過するまで待って、時間ｔ４に音量を１段階下げる。そして、徐々に時間間隔を短くしながら、この時間間隔にしたがって再生ソースの音量を徐々に下げていき、図５のステップＳ５０９：Ｙｅｓにおいて音量がゼロになった時間を、時間ｔ５とする。さらに、時間ｔ５から時間間隔Ｔ４が経過するまで待って、時間ｔ６に表示装置３０２の電源をＯＦＦにする。
【００７８】
上述したように、本実施例のナビゲーション装置４００によれば、音量操作検出部１０６によって利用者による再生ソースの音量操作が検出されない場合、音量制御部１０７によって再生ソースの音量を所定の時間間隔にしたがって徐々に下げることができる。したがって、再生ソースの視聴者によって再生ソースの音量操作がおこなわれない場合、再生ソースの音量を徐々に下げることができる。これによって、たとえば、再生ソースの視聴者が、音量が徐々に下がっているのに気づかない場合、音量をそのまま下げ続けることができる。したがって、視聴者は、再生ソースを視聴中に眠くなった場合、そのまま寝付くことができる。
【００７９】
また、本実施例のナビゲーション装置４００によれば、音量制御部１０７によって、音量操作検出部１０６によって再生ソースの音量を上げる音量操作が検出された場合、再生ソースの音量を、音量を上げる音量操作が検出される前の時間間隔より所定の時間長くした間隔にしたがって徐々に下げることができる。したがって、再生ソースの視聴者が寝かかっていない場合、徐々に音量が下がっていることを気づかせにくくするために音量を下げる間隔を長くすることができる。これによって、再生ソースの視聴者が起きている間は、再生ソースの音量が徐々に下がっているのを気づかせないことができる。
【００８０】
また、本実施例のナビゲーション装置４００によれば、音量制御部１０７によって再生ソースの音量を下げる時間間隔を徐々に短くすることができる。したがって、徐々に音量が下がっていることに気づかれない場合、音量を下げる時間間隔を短くし、早く寝付かせることができる。これによって、再生ソースの視聴者が寝かかっている場合、再生ソースの音量を煩わしく感じさせず、寝付かせることができる。
【００８１】
また、本実施例のナビゲーション装置４００によれば、音量制御部１０７は、再生ソースの音量を、設定部１０２によって設定された時間間隔にしたがって徐々に下げることができる。これによって、音量制御装置１００の利用者と、再生ソースの視聴者が異なる場合、利用者によって視聴者を寝付かせるタイミングを設定することができる。
【００８２】
また、本実施例のナビゲーション装置４００によれば、ジャンル検出部１０４によって所定のジャンルが検出された場合、音量制御部１０７によって再生ソースの音量を所定の時間間隔にしたがって徐々に下げる制御を開始することができる。したがって、たとえば、子供向けの再生ソースが再生された場合、視聴者が子供であると判断し、自動的に音量制御処理を開始することができる。これによって、たとえば、再生ソースの視聴者が子供の場合、音量を徐々に下げることで寝付かせることができる。
【００８３】
また、本実施例のナビゲーション装置４００によれば、移動検出部１０５によって所定の移動状態が検出された場合、音量制御部１０７によって再生ソースの音量を所定の時間間隔にしたがって徐々に下げる制御を開始することができる。したがって、たとえば、渋滞状態になったり、高速道路などに入ったり、子供が眠くなるような状態の場合、自動的に音量制御処理を開始することができる。これによって、たとえば、子供が眠くなる可能性の高い状態に車両がなった場合、そのまま子供を寝付かせることができる。
【００８４】
また、本実施例のナビゲーション装置４００によれば、開始操作検出部１０３によって利用者の制御開始操作が検出された場合、音量制御部１０７によって再生ソースの音量を所定の時間間隔にしたがって徐々に下げる制御を開始することができる。したがって、利用者または視聴者の所望するタイミングで音量制御処理を開始することができる。これによって、たとえば、親が子供を寝付かせたい場合、音量を徐々に下げる処理を、親の所望するタイミングで始めることができる。
【００８５】
また、本実施例のナビゲーション装置４００によれば、音量制御部１０７によって、映像音声信号に関する音声信号の音量を所定の時間間隔にしたがって徐々に下げることができる。したがって、動画などの映像部分と音声部分を持つ再生ソースの音声部分の音量を所定の時間間隔にしたがって徐々に下げることができる。これによって、たとえば、子供がＤＶＤやテレビ放送を視聴している場合にも、徐々に音量を下げることで、寝付かせることができる。
【００８６】
また、本実施例のナビゲーション装置４００によれば、音量制御部１０７によって、リアシート向けに備えられたモニタに出力される映像音声信号に関する音声信号の音量を所定の時間間隔にしたがって徐々に下げることができる。したがって、フロントシート向けのモニタと、リアシート向けのモニタと、異なる映像音声信号を出力している場合、リアシート向けのモニタに出力される映像音声信号に関する音声信号の音量を所定の時間間隔にしたがって徐々に下げることができる。これによって、たとえば、車両内のリアシートに子供が座っている場合、フロントシート向けのモニタにおいてナビゲーションをおこない、リアシートに異なる動画を出力し、リアシート向けのモニタの音量を徐々に下げることで、子供を寝付かせることができる。
【００８７】
以上説明したように、本発明の音量制御装置１００、音量制御方法、音量制御プログラムおよび記録媒体によれば、ナビゲーション装置４００において車両３１０内のリアシート３１３向けに備えられた表示装置３０２に子供向けのコンテンツが再生され、車両３１０が渋滞状態に入った場合など、ヘッドフォン３０５に出力される音声情報の音量を所定の時間間隔にしたがって徐々に下げることができる。これによって、リアシート３１３の子供が寝かかっている場合、子供が着用しているヘッドフォン３０５から出力される音量を徐々に下げることで、子供を寝付かせることができる。
【００８８】
なお、本実施の形態で説明した音量制御方法は、あらかじめ用意されたプログラムをパーソナル・コンピュータ、ワークステーション、携帯端末装置などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８９】
【図１】本実施の形態にかかる音量制御装置の機能的構成を示すブロック図である。
【図２】本実施の形態にかかる音量制御装置の音量制御処理手順を示すフローチャートである。
【図３】本実施例にかかるナビゲーション装置が備える表示装置が搭載された車両内部の一例を示す説明図である。
【図４】本実施例にかかるナビゲーション装置のハードウェア構成を示すブロック図である。
【図５】本実施例にかかるナビゲーション装置の処理の内容を示すフローチャートである。
【図６】本実施例にかかるナビゲーション装置における音量制御処理の内容の一例について示す説明図である。
【符号の説明】
【００９０】
１００  音量制御装置
１０１  出力部
１０２  設定部
１０３  開始操作検出部
１０４  ジャンル検出部
１０５  移動検出部
１０６  音量操作検出部
１０７  音量制御部
【図１】
2008252589.tif 000003
【図２】
2008252589.tif 000004
【図３】
2008252589.tif 000005
【図４】
2008252589.tif 000006
【図５】
2008252589.tif 000007
【図６】
2008252589.tif 000008